(57)【特許請求の範囲】
【請求項１】
複数のプロテクションレベルを有し、伝送する信号の符号化レイトを各プロテクションレベルに対応して可変でき、デジタルオーディオ情報と共に少なくとも前記プロテクションレベル情報を伝送可能なディジタルオーディオ放送を受信するディジタル放送受信機であって、
前記プロテクションレベル情報を受信信号から抽出し、前記抽出したプロテクションレベル情報に対応する基準値を確定後、前記基準値と前記受信信号とに基づいて前記受信信号の受信状態を判定し、
サービスフォローの判定に用いることを特徴とするディジタル放送受信機。
【請求項２】
前記ディジタル放送受信機は、複数の基準値と複数の前記プロテクションレベルとを関連付けるテーブルを有し、前記抽出したプロテクションレベル情報に基づき１の基準値を前記テーブルから確定することを特徴とする請求項１記載のディジタル放送受信機。
【請求項３】
前記ディジタルオーディオ放送は、さらに、前記デジタルオーディオ情報のオーディオビットレイト情報も伝送可能であり、前記オーディオビットレイト情報を受信信号から抽出し、前記抽出したビットレイト情報も使用して前記基準値を確定することを特徴とする請求項１記載のディジタル放送受信機。
【請求項４】
前記ディジタル放送受信機は、複数の基準値と複数の前記プロテクションレベルと複数の前記オーディオビットレート情報とを関連付けるテーブルを有し、前記抽出したプロテクションレベル情報とオーディオビットレート情報とに基づき１の基準値を前記テーブルから確定することを特徴とする請求項３記載のディジタル放送受信機。
【請求項５】
複数のプロテクションレベルを有し、伝送する信号の符号化レイトを各プロテクションレベルに対応して可変でき、デジタルオーディオ情報と共に少なくとも前記プロテクションレベル情報を伝送可能なディジタルオーディオ放送を受信するディジタル放送受信機であり、
前記プロテクションレベル情報を受信信号から抽出し、前記抽出したプロテクションレベル情報に対応する基準値を確定後、前記基準値と前記受信信号とに基づいて前記受信信号の受信状態を判定するものであって、
前記ディジタルオーディオ放送は、さらに、前記デジタルオーディオ情報のオーディオビットレイト情報も伝送可能であり、前記オーディオビットレイト情報を受信信号から抽出し、前記抽出したビットレイト情報も使用して前記基準値を確定することを特徴とするディジタル放送受信機。
【請求項６】
前記ディジタル放送受信機は、複数の基準値と複数の前記プロテクションレベルと複数の前記オーディオビットレート情報とを関連付けるテーブルを有し、前記抽出したプロテクションレベル情報とオーディオビットレート情報とに基づき１の基準値を前記テーブルから確定することを特徴とする請求項５記載のディジタル放送受信機。
【発明の詳細な説明】
【０００１】
【発明の属する技術分野】
本発明は、ディジタル放送受信機に関し、特に、欧州で既に実用の段階に入っているディジタルオーディオ放送（Ｄｉｇｉｔａｌ  Ａｕｄｉｏ  Ｂｒｏａｄｃａｓｔｉｎｇ；以下ＤＡＢと称する）を受信する受信機に関する。
【０００２】
【従来の技術】
ディジタル音声信号を含む所定フォーマットのデータ信号を有する放送波を送信し、これを受信するシステムとして、欧州規格（Ｅｕｒｅｋａ  １４７）に準拠したＤＡＢシステムがある。ＤＡＢでは、１つのアンサンブルが複数のサービスで構成され、各サービスも英語やドイツ語といった複数のコンポーネントで構成される。
【０００３】
図７は、ＤＡＢシステムのサービス構成例であり、アンサンブル１を構成するサービス（この場合３つ）と各コンポーネント（この場合６つ）と実際にＤＡＢ局から伝送されるＯＦＤＭ信号とのリンクを示す図である。
【０００４】
ＤＡＢ局から伝送されるＯＦＤＭ信号は、ＦＩＣ（Ｆａｓｔ  Ｉｎｆｏｒｍａｔｉｏｎ                Ｃｈａｎｎｅｌ  ；高速情報チャネル）とＭＳＣ（Ｍａｉｎ  Ｓｅｒｖｉｃｅ  Ｃｈａｎｎｅｌ）とに分けられる。
【０００５】
ＭＳＣを構成する各サブチャンネル（ＳｕｂＣｈ０〜６３）は上記のコンポーネントと対応関係を有し、ＦＩＣには、アンサンブルで利用可能なサービスの情報や、サービス、コンポーネント、サブチャンネル間のリンクを示す情報が含まれる。
【０００６】
よって、ＤＡＢでは、あるアンサンブルが受信されれば、そのアンサンブルに含まれる複数のサービス、コンポーネントに関する情報を得ることができ、受信周波数を変更することなく異なるサービス、コンポーネントへ瞬時に切り替えることが可能となる。
【０００７】
この放送を受信するＤＡＢ受信機の利用法の１つとして、同一の番組を提供するＦＭ局へのサービスフォロー機能があげられる。以下この機能について説明すると、ＤＡＢでは、ＦＩＣに含まれる各種の情報データの中に受信中の番組と同一番組を放送するＦＭ局についての情報を含ませることができる。例えば、同一番組を放送するＦＭ局の識別情報や周波数情報がこれに相当する。
【０００８】
したがって、受信中のＤＡＢ局から得られるＦＩＣよりかかる情報を取得し、この情報に基づきＲＤＳ受信機を制御することで、同一番組を放送するＦＭ局に容易にチューニングすることが可能となる。
【０００９】
よって、受信中のＤＡＢ局とチューニングしたＦＭ局の受信状態を比較し、ＤＡＢ局の受信状態が悪化した場合には、同一番組を放送するＦＭ局の音声出力に再生出力を切り替える（サービスフォロー）ことで、良好な再生音声を維持することができる。
【００１０】
他方、ＤＡＢでは、各サブチャンネル毎にオーディオ情報のビットレイトを規定でき、更には、伝送のプロテクションレベル（１〜５）も規定することができる。
【００１１】
プロテクションレベルは、伝送エラーに対する強さを示し（数字の大きい方が符号化レイトが高いので冗長度が低くなりエラーに対して弱くなる）、プロテクションレベルに応じて畳み込み符号化と符号化後の信号の一部の抜き取り（パンクチャド）による符号化レイトが規定されている。なお、ＤＡＢでは、オーディオ情報のビットレイトとプロテクションレベルから求められる平均コードレイトは０．３４〜０．７５の値をとることが規定されている。なお、この情報もＦＩＣにて伝送される。
【００１２】
【発明が解決しようとする課題】
ところが、オーディオ情報のプロテクションレベルを考慮しないで、例えば、エラー率（エラーレート）といったパラメータのみでＤＡＢ局の受信状態を判定しようとすると、同じエラー率でもプロテクションレベルによって聴感上のノイズ感が異なるという問題が生じる。即ち、プロテクションレベルが大きい番組と小さい番組とでは、プロテクションレベルが大きい番組の方が同じエラー率でも聴感上のノイズ感は大きくなることになり、受信状態の検出精度のばらつきが大きくなる。よって、例えば、サービスフォローの切り替え時のノイズ感が、選択しているサービスのプロテクションレベルによって異なるという問題が生じるのである。
【００１３】
以上の点に鑑みて、本発明は、再生出力の受信状態の評価を行う基準値に聴感上のノイズ感を反映させることを目的とする。
【００１４】
【課題を解決するための手段】
請求項１記載の発明によれば、複数のプロテクションレベルを有し、伝送する信号の符号化レイトを各プロテクションレベルに対応して可変でき、デジタルオーディオ情報と共に少なくとも前記プロテクションレベル情報を伝送可能なディジタルオーディオ放送を受信するディジタル放送受信機であって、前記プロテクションレベル情報を受信信号から抽出し、前記抽出したプロテクションレベル情報に対応する基準値を確定後、前記基準値と前記受信信号とに基づいて前記受信信号の受信状態を判定し、サービスフォローの判定に用いることを特徴とする。
【００１６】
請求項５記載の発明によれば、複数のプロテクションレベルを有し、伝送する信号の符号化レイトを各プロテクションレベルに対応して可変でき、デジタルオーディオ情報と共に少なくとも前記プロテクションレベル情報を伝送可能なディジタルオーディオ放送を受信するディジタル放送受信機であり、前記プロテクションレベル情報を受信信号から抽出し、前記抽出したプロテクションレベル情報に対応する基準値を確定後、前記基準値と前記受信信号とに基づいて前記受信信号の受信状態を判定するものであって、 前記ディジタルオーディオ放送は、さらに、前記デジタルオーディオ情報のオーディオビットレイト情報も伝送可能であり、前記オーディオビットレイト情報を受信信号から抽出し、前記抽出したビットレイト情報も使用して前記基準値を確定することを特徴とする。
【００１９】
【発明の実施の形態】
（第１の実施の形態）
以下、本発明の実施の形態を図面を参照しつつ詳細に説明する。図１は、本発明の第１の実施の形態であるＲＤＳ受信部を備えたディジタル放送受信機のブロック図である。受信機は、ディジタル放送を受信するためのＤＡＢ受信部と、ＲＤＳ放送を受信するためのＦＭ受信部と、システム制御部１と、切り替え部２  と、アンプ３と、スピーカ４と、記憶部５とで構成される。
【００２０】
ＤＡＢ受信部には、ＤＡＢ局への同調制御をなすＤＡＢ−ＦＥ（ＤＡＢ用フロントエンド）１１と受信アナログ信号をディジタル信号に変換するＡ／Ｄ変換器１２と、ＯＦＤＭ波を復調するためのＦＦＴ（高速フーリエ変換）部１３、差動変調を復調するための差動復調部１４、誤り訂正のためのビタビ復号部１５、圧縮された音声データ（Ｍｕｓｉｃａｍ  Ｄａｔａ）を元のオーディオデータに復元するためのミュージカムデコーダ（Ｍｕｓｉｃａｍ  Ｄｅｃｏｄｅｒ  ）１６などが含まれるが、各部の具体的な構成は種々の文献で公知となっているので、ここでは詳述しない。また、ミュージカムデコーダ１６は、受信データの音声フレームのエラーに関するフレームエラー情報をシステム制御部１に出力する。
【００２１】
ＦＭ受信部は、ＦＭ局への同調制御を行うためのＦＭ−ＦＥ（ＦＭ用フロントエンド）２１、中間周波数（ＩＦ）信号を増幅し、この信号からコンポジット信号を検波するためのＦＭ検波器２２、コンポジット信号からＲＤＳ信号を抽出して、これを復調するＲＤＳデコーダ２３などが含まれるが、かかる構成も種々の文献で公知となっているので、ここでは詳述しない。さらに、ＤＡＢ受信部と同様にＦＭ受信部も受信したＲＤＳデータのブロックエラーに関するブロックエラー情報をシステム制御部１に出力する。
【００２２】
システム制御部１は、ＤＡＢ受信部、ＦＭ受信部の制御を行うと共に、ＤＡＢ受信部から前述のＦＩＣ情報を読み込み、かかるデータに含まれる各種の情報データを記憶部５に記憶する。記憶される情報には、アンサンブルで利用可能なサービスの情報や、サービス、コンポーネント、サブチャンネル間のリンクを示す情報、ＦＭ局に関する情報（ＰＩコード、ＦＩ（Ｆｒｅｑｕｅｎｃｙ  Ｉｎｆｏｒｍａｔｉｏｎ  ）リスト情報）などが含まれる。さらに、システム制御部１は、ＦＭ受信部がサービスフォローの候補局を迅速に検出することができる様に、読み込んだＰＩコードやＦＩリスト情報をＦＭ−ＦＥ部２１やＲＤＳデコーダ２３に対して出力する。
【００２３】
システム制御部１は、さらに、切り替え部２の制御を行う。具体的には、ＤＡＢ受信部で受信しているサービスの方がＦＭ受信部で受信しているサービスより受信状況が良好（または受信状況が略同一）であると判定される場合には、ＤＡＢ受信部の再生音声を選択出力し、ＦＭ受信部の受信状況の方がＤＡＢ受信部の受信状況より良好であると判定される場合には、ＦＭ受信部の再生音声を選択出力する。出力された再生音声はアンプ３で増幅され、スピーカ４から出力され  る。以上がディジタル放送受信機の概要である。
【００２４】
次に、本発明に関わるシステム制御部１の動作を詳細に説明する。図２は、サービスフォローモードにおけるシステム制御部１の動作を示すフローチャートである。なお、本フローチャートは使用者によりサービスフォローを行う旨の指示が入力されたことを受けて実行されるものとする。使用者によりサービスフォローを行う旨の指示が入力されると、システム制御部１は、現時点でＤＡＢ受信部がいずれかのアンサンブルに同調しているか否かを判定する（ステップＳ１）。
【００２５】
いずれかのアンサンブルに同調している場合は、伝送されるＦＩＣデータを得ることができるので、これをデコードし、この中から前述のプロテクションレベル及びビットレイトに関する情報、アンサンブルで利用可能なサービスの情報、サービス、コンポーネント、サブチャンネル間のリンクを示す情報、ＰＩコー  ド、ＦＩリスト情報などを抽出し記憶部５に記憶する（ステップＳ２）。
【００２６】
その後、取得した情報に基づき使用者の希望するサービスを選択し、これをスピーカ４より出力する（ステップＳ３）。
【００２７】
音声出力後、システム制御部１は、ＤＡＢ受信部及びＦＭ受信部から供給されるエラー情報に基づき両受信部のエラー率ＢＥＲを各々算出する（ステップＳ  ４）。エラー率の具体的な算出の方法については後述する。
【００２８】
次いで、ステップＳ４にて算出したＤＡＢ信号のエラー率ＢＥＲを基準値と比較する（ステップＳ５）。この時、まず、ステップＳ２で取得、保持したプロテクションレベルに関する情報に基づき、現在選択中のサブチャンネルの受信状態を評価するための基準値を記憶部５内部の対応するテーブルから選択する。
【００２９】
ここで、記憶部５内部に構成されるテーブルの例を図３に示す。テーブルは、プロテクションレベルＰＬに対応して作成されており、ＤＡＢにて規定されている選択可能なプロテクションレベル１〜５に対応する基準値を得ることが可能なように構成されている。
【００３０】
例えば、現在受信中のＤＡＢ受信信号のプロテクションレベルが１であれば、対応する基準として基準値１を確定し、これを比較の基準値として選択するのである。
【００３１】
ついで、選択した基準値と今回算出したＤＡＢ信号のエラー率ＢＥＲとを比較する。比較の結果、今回算出したＤＡＢ信号のエラー率ＢＥＲが基準値よりも小さい（ステップＳ５；小）と判定されれば、ＤＡＢ局の受信状態は悪化していないので、ステップＳ４に戻り、その時点で供給されるフレームエラー情報に基づきエラー率ＢＥＲを再度算出し（ステップＳ４）、これを基準値と比較する（ステップＳ５）。したがって、受信状態が良好な時にはステップＳ４、Ｓ５のループを巡回することになる。
【００３２】
他方、選択した基準値と今回算出したエラー率ＢＥＲとの比較の結果、今回算出したエラー率が基準値より大きい（ステップＳ５；大）と判定されれば、ＤＡＢ局の受信状態が悪化したことを意味するので、ステップＳ６に移行して、同一番組を放送するＲＤＳ局へのサービスフォローが可能かを判定する。具体的に  は、まず、同一番組がＦＭ帯域で放送されているかを判定し（ステップＳ６）、ついで、ＤＡＢ局より受信状態の良好な同一番組ＦＭ−ＲＤＳ局があるか否かを判定する（ステップＳ７）。
【００３３】
ステップＳ７にてサービスフォローが可能と判定される場合、システム制御部１は、ＲＤＳ局の音声を再生するべく切り替え部２をステップＳ８にて制御す  る。
【００３４】
他方、ステップＳ６、Ｓ７にてサービスフォローに適したＲＤＳ局が発見できないと判定される場合は、ステップＳ４に戻り、両受信部の受信状態の監視を続ける。例えば、この監視中にＦＭ受信部の受信状態が好転すれば、ステップＳ７にてサービスフォローが可能と判定され、ＲＤＳ局の音声を再生するべくシステム制御部１は、切り替え部２を制御する（ステップＳ８）。
【００３５】
以上がサービスフォローの動作であり、本発明では、特に、ステップＳ５にてＤＡＢ局の受信状態を評価する際に、現在受信しているＤＡＢ受信信号のプロテクションレベルに関する情報に基づき最適な評価基準値を決定し、この基準値とＤＡＢ受信信号とに基づき受信状況を判定するように構成したことにより、常  に、聴感上のノイズ感と判定結果とを一致させることが可能となった。
【００３６】
続いて、ステップＳ４のエラー率算出処理について詳述する。本発明では、ＤＡＢ信号、及びＦＭ信号の受信状態を評価するパラメータとして、各受信部で検出されるエラー情報を使用する。具体的には、ＦＭ受信部にて受信しているＦＭ受信信号の受信状態については受信したＲＤＳデータのブロックエラー率で評価するように構成し、ＤＡＢ受信部にて受信しているＤＡＢ受信信号の受信状態については、サブチャンネルを構成する音声データ（Ｍｕｓｉｃａｍ  Ｄａｔａ）のフレームエラー率で評価するように構成している。これは、以下のような知見による。
【００３７】
図４は、ＲＤＳデータとＤＡＢで伝送される音声データとを比較した図であ  る。図４（ａ）には、ＤＡＢの音声データの構成を示し、図４（ｂ）には、ＲＤＳデータの構成を示している。
【００３８】
ＲＤＳデータは、周知の如くオフセットＡ〜Ｄの４つのデータブロックで１グループが構成され、エラーの有無をブロック単位で検出可能な伝送方式であり、１ブロックは２２ｍｓで構成される。
【００３９】
他方、ＤＡＢの音声データは、ＭＰＥＧ１レイヤー２に準拠しており１フレームが２４ｍｓで構成され、各サブバンドのデータのみならず、その先頭よりに  は、ＤＡＢヘッダ、ビットアロケーション情報、ＳｃＦＳＩといった情報が配置されている。さらに、ＤＡＢヘッダ、ビットアロケーション情報、ＳｃＦＳＩのエラー検知のために設けられたＣＲＣと、スケールファクタのエラー検知のために設けられたＣＲＣとがその１フレーム中に含まれている。よって、かかるＣＲＣによりエラーの有無をフレーム（以下、説明の便宜上ＲＤＳデータと同様にブロックと称する）単位で検出可能である。
【００４０】
本件出願人は、両方式の１ブロックの長さが略同一であることに着目し、ＤＡＢ受信信号の受信状態の判定には音声データのブロックエラー率ＢＥＲを使用  し、ＦＭ受信信号の受信状態の判定には、ＲＤＳデータのブロックエラー率を使用した。
【００４１】
この理由を説明すると、ブロックエラー率の分母となるブロックの数を略同一に設定すれば、判定に使用したデータ群の時間的な誤差を両方式間で１０％程度に押さえられるので、極めて近い条件で受信状態を判定することが可能になるからである。
【００４２】
さらに、ＲＤＳデータのブロックエラー率とアナログ音声のノイズ感とは比例関係にあり、ＲＤＳのブロックエラー率とＦＭ音声の受信状態とを正確に関連付けることができるのである。
【００４３】
したがって、ブロックエラー率を使用することで伝送方式の異なる両受信部の評価を極めて近い条件で行うことが可能になるのである。
【００４４】
（第２の実施の形態）
第１の実施の形態では、サービスフォローを良好に行うためにブロックエラー率を比較する例を提示したが、第２の実施形態では、ビタビ復号器の入出力データに基づきエラーを推定する推定エラー率をＤＡＢ局の受信状態の検出手法として採用した例を示す。
【００４５】
図５は、かかる手法を採用したディジタル放送受信機のブロック図である。なお、図１と同様の部分については同一の符号を付し、詳しい説明は省略する。
【００４６】
図１のディジタル放送受信機と異なる点は、ＤＡＢ局の受信状況を検出するために設けられた再符号化部１７である。エラー訂正手段としてのビタビ復号器１５の出力は、再符号化部１７にて再度畳み込み符号化及びパンクチャド処理が施されシステム制御部３１に出力される。
【００４７】
システム制御部３１は、比較するデータの位置を一致させるためにビタビ復号器１５の入力信号を所定時間遅延させ、遅延させたビタビ復号器１５の入力データと再符号化されたデータとを比較する処理を行うことでＤＡＢ受信信号のビットエラーを検出する。
【００４８】
次いで、検出したエラー数を、比較した全サンプル数で割ることにより、ＤＡＢ受信信号のエラー率を推定する。ついで、ＤＡＢ受信信号のプロテクションレベル情報に基づき最適な基準値を決定し、この基準値と算出したエラー率とに基づきＤＡＢ受信信号の受信状態を判定している。
【００４９】
システム制御部３１は、評価した受信状態に基づき、減衰器３２の制御を行  う。具体的には、受信状態の悪化に伴って減衰量を上げてスピーカ４の出力を可変制御するのである。
【００５０】
以上の第２の実施形態においても、ＤＡＢ受信信号のプロテクションレベルに応じた評価基準で受信状態の評価が可能となる。
【００５１】
（その他の形態）
上記の実施形態では、オーディオ情報と共に伝送されるプロテクションレベル情報に着目したが、これに限らず、サブチャンネルを構成するオーディオデータのオーディオビットレイト情報を利用して同様のテーブルを作成し、現在選択しているサブチャンネルのオーディオビットレイト情報に基づき最適な基準値を決定するように構成することもできる。すなわち、ＤＡＢでは音声圧縮の手法としてＭＵＳＩＣＡＭを使用しており、オーディオビットレイトは、３２ｋｂｉｔ／ｓから３８４ｋｂｉｔ／ｓで変更可能なので、このオーディオビットレイト情報をＤＡＢ受信信号から抽出し、これを利用して最適な基準値を決定するのであ  る。さらには、両者をくみあわせてプロテクションレベル情報、及びオーディオビットレイト情報に基づき最適な基準値を決定するように構成することもでき  る。
【００５２】
この場合のテーブルの作成例を図６に示す。図中、ＰＬ、ＢＲは、各々プロテクションレベル、オーディオビットレイトを示す。受信信号からプロテクションレベル情報とオーディオビットレイト情報が抽出されれば、このテーブルを用いて、１の基準値を決定することができる。例えば、プロテクションレベルが１でオーディオビットレイトが３２ｋｂｉｔ／ｓであれば基準値１．１を確定するのである。
【００５３】
さらに、先の第１の実施形態で使用したＤＡＢデータのブロックエラー率に代えて、第２の実施形態で使用した推定エラー率をＤＡＢデータの受信状況の判定に使用したり、先の第１の実施形態で使用したＲＤＳデータのブロックエラー率に代えて、受信電界強度をＲＤＳ局の受信状況の判定に使用したりすることも可能である。
【００５４】
【発明の効果】
以上説明したように、本発明によれば、プロテクションレベル情報を受信信号から抽出し、前記抽出したプロテクションレベル情報に対応する基準値を確定の後、この基準値と受信信号とに基づいて受信信号の受信状態を判定するように構成したので、受信信号のプロテクションレベルに応じた評価基準で受信状態の評価が可能であり、さらに、サービスフォローを判定しているため、常に聴感上のノイズ感と判定結果とを一致させることができる。
また、前記ディジタルオーディオ放送は、前記デジタルオーディオ情報のオーディオビットレイト情報も伝送可能であり、前記オーディオビットレイト情報を受信信号から抽出し、前記抽出したビットレイト情報も使用して前記基準値を確定しているため、受信信号のプロテクションレベルと、オーディオビットレイト情報に応じた評価基準で受信状態の評価をすることができる。
【図面の簡単な説明】
【図１】本発明の第１の実施の形態であるＲＤＳ受信部を備えたディジタル放送受信機のブロック図である。
【図２】システム制御部１が実行するフローチャートである。
【図３】記憶部５内部に構成されるテーブルである。
【図４】ＤＡＢデータとＲＤＳデータとを比較する図である。
【図５】本発明の第２の実施の形態であるディジタル放送受信機のブロック図である。
【図６】記憶部５内部に構成されるテーブルである。
【図７】ＤＡＢシステムのサービス構成例である。
【符号の説明】
１    ・・・・  システム制御部
２    ・・・・  切り替え部
３    ・・・・  アンプ
４    ・・・・  スピーカ
５    ・・・・  記憶部
１１  ・・・・  フロントエンド
１２  ・・・・  Ａ／Ｄ変換器
１３  ・・・・  ＦＦＴ
１４  ・・・・  差動復調部
１５  ・・・・  ビタビ復号器
１６  ・・・・  ミュージカムデコーダ
１７  ・・・・  再符号化部
２１  ・・・・  フロントエンド
２２  ・・・・  検波器
２３  ・・・・  ＲＤＳデコーダ
３１  ・・・・  システム制御部
３２  ・・・・  減衰器
【図１】
0003614301.tif 000002
【図２】
0003614301.tif 000003
【図３】
0003614301.tif 000004
【図４】
0003614301.tif 000005
【図５】
0003614301.tif 000006
【図６】
0003614301.tif 000007
【図７】
0003614301.tif 000008